(57)【特許請求の範囲】
【請求項１】
サニタリ配管におけるピンチバルブ用スリーブであって、適宜な長さと径と肉厚と可撓性とを有するスリーブ本体と、該スリーブ本体の両端を外周方向に膨出させた夫々のフランジ部と、該夫々のフランジ部の内径と外径との間の両面に夫々膨出する断面半円形状のリング部と、を備え、前記スリーブ本体と前記夫々のフランジ部と前記夫々のリング部とを一体に形成すると共に、前記スリーブ本体の肉厚は内径の直径を変えることなく外径のみを縮径するように且つ両側端辺より中心辺を肉薄に形成したことを特徴とするピンチバルブ用スリーブ。
【請求項２】
前記スリーブ本体の肉厚は両側端辺に一定厚みの厚肉部を夫々設け、該夫々の厚肉部の内側に外径のみを縮径するテーパー部を設け、該夫々のテーパー部の間に一定厚みの薄肉部を設けたことを特徴とする請求項１に記載のピンチバルブ用スリーブ。
【請求項３】
前記スリーブ本体と前記夫々のフランジ部と前記夫々リング部とを可撓性のゴム又は熱可撓性エラストマーで形成したことを特徴とする請求項１又は請求項２に記載のピンチバルブ用スリーブ。
【発明の詳細な説明】
【技術分野】
【０００１】  本発明は、ピンチバルブ用スリーブに関するものであり、更に詳細には、簡単に分解組立ができ、洗浄、殺菌を容易にすることができるサニタリ配管におけるピンチバルブのスリーブに関するものである。
【背景技術】
【０００２】  近年、生活環境の多様化により、この種のサニタリ配管を用いて製造する食品、薬、化粧品等も増加している現状にあるが、周知のように、この種のサニタリ配管は使用後には、その都度、直ちに洗浄、殺菌できなければならず、簡単に分解組立できるように、且つ、流動製品が残留しないように内部に凹凸を作らないように構成されているものであるが、サニタリ配管中のバルブは流動製品の流れを止めたり流れを絞ったりするために組み込まれており、ゲートバルブやボールバルブ等のバルブ類は構造が複雑で、分解して洗浄するのに手間暇が掛かり苦渋を呈している現状である。【０００３】  例えば、先に開示された、スリーブの両端に厚肉部を設けると共にフランジ部を形成し、ボデイーは熱可塑性樹脂で形成した本体と、その両端部に一体的に熱融着接合した熱可塑性樹脂製のエンドとからなり、本体とエンドとの熱融着接合によってスリーブのフランジ部が挟着シールされ、端部の厚肉部で抜止めされてなることを特徴とする。また、スリーブの内面に環状の小突起を設けたことを特徴とするピンチバルブ（特許文献１参照）や、移送物体を通過させる可撓管１と、該可撓管１の両外側に配置されると共に、少なくとも一方を往復移動可能にした対をなす挟圧部材２とから構成されるバルブ構造体（特許文献２参照）等が開示されている。
【特許文献１】特開平０７−２８０１０８号公報
【特許文献２】特開２０００−２５８９０号公報
【発明の開示】
【発明が解決しようとする課題】
【０００４】  然し乍ら、前述の開示されている特許文献１では、スリーブの内面に環状の小突起を設けているもので、ピンチバルブの流動を止めるには好適なものであろうが、環状の小突起の基部辺りに残り滓や雑菌が溜まるために清掃に手間暇が掛かるもので、更に、特許文献２では、単に、従来から用いられているピンチバルブであり、つまり、この種のピンチバルブはスリーブを外周方向から何らかの手段により押圧して内径を潰すことにより流動物質の流動を停止させるものであるが、周方向から潰すことによる軸方向の縮みを周りのパーツに影響させることなく吸収させる必要があった。
【課題を解決するための手段】
【０００５】  本発明は前記課題に鑑み、鋭意研鑽の結果、これらの課題を解決するもので、サニタリ配管におけるピンチバルブ用スリーブであって、長さと径と肉厚と可撓性とを有するスリーブ本体と、スリーブ本体の両端を外周方向に膨出させたフランジ部と、フランジ部の内径と外径との間の両面に膨出する断面半円形状のリング部と、を備え、スリーブ本体とフランジ部とリング部とを一体に形成すると共に、スリーブ本体の肉厚は内径の直径を変えることなく外径のみを縮径するように且つ両側端辺より中心辺を肉薄に形成したものであり、更に、スリーブ本体の肉厚は両側端辺に一定厚みの厚肉部を設け、厚肉部の内側に外径のみを縮径するテーパー部を設け、テーパー部の間に一定厚みの薄肉部を設けたものであり、更には、スリーブ本体とフランジ部とリング部とを可撓性のゴム又は熱可撓性エラストマーで形成したものである。
【発明の効果】
【０００６】  本発明のサニタリ配管におけるピンチバルブ用スリーブは、長さと径と肉厚と可撓性とを有するスリーブ本体と、スリーブ本体の両端を外周方向に膨出させたフランジ部と、フランジ部の内径と外径との間の両面に膨出する断面半円形状のリング部と、を備え、スリーブ本体とフランジ部とリング部とを一体に形成すると共に、スリーブ本体の肉厚は内径の直径を変えることなく外径のみを縮径するように且つ両側端辺より中心辺を肉薄に形成したものであり、スリーブの内腔の管壁は凹凸のないストレートで洗浄が容易で確実にできるもので、更に、フランジ部を他の配管パーツのフランジと合着させてクランプにより固定でき、更には、断面半円形状のリング部は他の配管パーツのフランジと合着のシール材となるものであり、加えて、スリーブを外圧により閉鎖時の伸びは肉厚を変えることにより吸収させるもので、画期的で実用性の高い有効な発明である。
【発明を実施するための最良の形態】
【０００７】  以下、本発明のピンチバルブ用スリーブの実施の形態を図面によって具体的に説明すると、図１は本発明のピンチバルブ用スリーブの実施例の説明のための断面図である。【０００８】  本発明は、ピンチバルブ用スリーブに関するものであり、更に詳細には、簡単に分解組立ができ、洗浄、殺菌を容易にすることができるサニタリ配管におけるピンチバルブのスリーブに関するものであり、請求項１に記載のピンチバルブ用スリーブは、サニタリ配管におけるピンチバルブ用スリーブであって、適宜な長さと径と肉厚と可撓性とを有するスリーブ本体１と、該スリーブ本体１の両端を外周方向に膨出させた夫々のフランジ部２と、該夫々のフランジ部２の内径と外径との間の両面に夫々膨出する断面半円形状のリング部３と、を備え、前記スリーブ本体１と前記夫々のフランジ部２と前記夫々のリング部３とを一体に形成すると共に、前記スリーブ本体１の肉厚は内径の直径を変えることなく外径のみを縮径するように且つ両側端辺より中心辺を肉薄に形成したことを特徴とするものである。【０００９】  更に、請求項２に記載のピンチバルブ用スリーブは、請求項１に記載のピンチバルブ用スリーブにおいて、前記スリーブ本体１の肉厚は両側端辺に一定厚みの厚肉部１ａを夫々設け、該夫々の厚肉部１ａの内側に外径のみを縮径するテーパー部１ｂを設け、該夫々のテーパー部１ｂの間に一定厚みの薄肉部１ｃを設けたことを特徴とするものである。【００１０】  更には、請求項３に記載のピンチバルブ用スリーブは、請求項１又は請求項２に記載のピンチバルブ用スリーブにおいて、前記スリーブ本体１と前記夫々のフランジ部２と前記夫々リング部３とを可撓性のゴム又は熱可撓性エラストマーで形成したことを特徴とするものである。
【実施例】
【００１１】  即ち、ピンチバルブ用スリーブは、図１に図示するように、サニタリ配管の途中に介装したり、端部に装着するピンチバルブに用いるもので、必要に応じて内部の流動製品の流動を停止又は絞るためのものであり、使用後に簡易に分解組立ができると共に、内部の洗浄を容易とするものである。【００１２】  そして、スリーブ本体１は、円筒状のもので、適宜な長さと径と肉厚と可撓性とを有するもので、その使用されるサニタリラインによってそのサイズは規格に合わせて任意に設定するものであり、後述するフランジ部２とリング部３とを一体に形成しているものである。【００１３】  次に、夫々のフランジ部２は、スリーブ本体１の両端を外周方向に夫々膨出させているもので、隣り合うサニタリ配管のパーツと共に、後述する接続金具であるクランプにより固定するためのものである。【００１４】  次いで、夫々のリング部３は、断面半円形状のリング状であり、前記夫々のフランジ部２の内径と外径との間の両面に夫々膨出させているものであり、夫々のフランジ部２の外側に膨出させたリング部３は接続する隣り合う他の配管パーツのフランジ部２との間のシール部材となり、夫々のフランジ部２の内側に膨出させたリング部３は後述するクランプの固定が外れることなく固定するような係合部材となるものである。【００１５】  更に、スリーブ本体１と、スリーブ本体１の両端に膨出させた夫々のフランジ部２と、夫々のフランジ部２の両面に膨出させた夫々のリング部３とを一体に形成するものである。【００１６】  更には、スリーブ本体１の肉厚は、内径の直径を変えることなくストレートにして流動製品の流動を安定させると共に洗浄の際は容易とし、外径のみを縮径するようにしたもので、また、スリーブ本体１の肉厚は、両側端辺の厚みに対して中心辺を肉薄に形成しているものである。【００１７】  つまり、周知のように、接続金具であるクランプ（図示しない）は、サニタリ配管の合着させて接続する一対のフランジ部２の外周方向と軸方向の前後とを覆うように、内側に凹溝を形成した一対の略半円形部材の片側をヒンジで固定し、他側をネジ棒とナットで固着するものである。
により固定するためのものである。【００１８】  そして、スリーブ本体１の肉厚は、両側端辺に一定厚みの厚肉部を夫々設け、夫々の厚肉部の内側に外径のみを縮径するテーパー部を設け、夫々のテーパー部の間に一定厚みの薄肉部を設けたもので、周方向から受ける外圧により軸方向に発生する負荷を吸収させるものである。【００１９】  加えて、可撓性のゴム又は熱可撓性エラストマー（ＴＰＥ）を用いて、スリーブ本体１と夫々のフランジ部２と夫々リング部３とを一体に形成したものである。
【産業上の利用可能性】
【００２０】  本発明は、長さと径と肉厚と可撓性とを有するスリーブ本体と、スリーブ本体の両端を外周方向に膨出させたフランジ部と、フランジ部の内径と外径との間の両面に膨出する断面半円形状のリング部と、を備え、スリーブ本体とフランジ部とリング部とを一体に形成すると共に、スリーブ本体の肉厚は内径の直径を変えることなく外径のみを縮径するように且つ両側端辺より中心辺を肉薄に形成したものであり、スリーブの内腔の管壁は凹凸のないストレートで洗浄が容易で確実にできるもので、更に、フランジ部を他の配管パーツのフランジと合着させてクランプにより固定でき、更には、断面半円形状のリング部は他の配管パーツのフランジと合着のシール材となるものであり、加えて、スリーブを外圧により閉鎖時の伸びは肉厚を変えることにより吸収させるサニタリ配管におけるピンチバルブ用スリーブを提供するものである。
【図面の簡単な説明】
【００２１】
【図１】  図１は本発明のピンチバルブ用スリーブの実施例の説明のための断面図である。
【符号の説明】
【００２２】  １      スリーブ本体
１ａ    一定厚みの厚肉部
１ｂ    テーパー部
１ｃ    一定厚みの薄肉部
２      フランジ部
３      リング部
【図１】
0005544483.tif 000002